(57)【要約】【課題】ショベル系建設機械のブーム並びにアームの起伏動作の複合動作により各スイング部材を圃場土壌中から抜脱上昇させ、側溝の左右の底部は載置部材に載置され、一対のスイング部材は圃場に埋設されている側溝をかかえ込むようにして、載置部材の載置面に載せた状態で持ち上げて撤去することができる。【解決手段】下部走行機体１ａ、上部旋回機体１ｂ及び上部旋回機体に配設されて起伏動作可能なブーム１ｃ並びにアーム１ｅを備えてなり、圃場Ｈに埋設されている側溝Ｗを撤去可能なショベル系建設機械１のアタッチメントであって、ショベル系建設機械のアームに作業機体２を着脱自在に配設し、作業機体に側溝の左右の側壁部Ｗ１・Ｗ１近傍の圃場土壌中に挿脱可能な対向一対のスイング部材３・３を配設し、一対のスイング部材を相互に近接離反動作させる作動機構４を配設し、一対のスイング部材に側溝の底部Ｗ２を載置可能な載置部材５を配設してなる。【選択図】図５
2016055997.tif 000002
【特許請求の範囲】
【請求項１】
下部走行機体、上部旋回機体及び該上部旋回機体に配設されて起伏動作可能なブーム並びにアームを備えてなり、圃場に埋設されている側溝を撤去可能なショベル系建設機械のアタッチメントであって、上記ショベル系建設機械のアームに作業機体を着脱自在に配設し、該作業機体に上記側溝の左右の側壁部近傍の上記圃場土壌中に挿脱可能な対向一対のスイング部材を配設し、該一対のスイング部材を相互に近接離反動作させる作動機構を配設し、該一対のスイング部材に該側溝の底部を載置可能な載置部材を配設してなることを特徴とする側溝撤去アタッチメント。
【請求項２】
上記作業機体に上記一対のスイング部材に振動を付与可能な起振機構を配設してなることを特徴とする請求項１記載の側溝撤去アタッチメント。
【請求項３】
上記作業機体と上記アームとの間に防振機構を配設してなることを特徴とする請求項２記載の側溝撤去アタッチメント。
【請求項４】
上記請求項１〜３のいずれかに記載の側溝撤去アタッチメントを備えてなるショベル系建設機械。
【発明の詳細な説明】
【技術分野】
【０００１】
本発明は例えば水田や畑地等の圃場に埋設されている水路用の側溝を撤去する際に用いられる側溝撤去アタッチメント及びそれを備えたショベル系建設機械に関するものである。
【背景技術】
【０００２】
従来この種のショベル系建設機械のアタッチメントとして、側溝の対向する左右の側壁部の両外面を挟着可能な一対のクランプ部材を備えてなる構造、側溝の対向する左右の側壁部の一方を一対のクランプ部材により挟着する構造、側溝の対向する左右の側壁部の対向内面を拡張動作により張架する構造を備えたものが知られている。
【先行技術文献】
【特許文献】
【０００３】
【特許文献１】実開平５−３０２３９号公報
【特許文献２】特開平１０−７３７５号公報
【特許文献３】特開平７−２０６３６９号公報
【発明の概要】
【発明が解決しようとする課題】
【０００４】
しかしながら上記従来構造の場合、側溝の左右の側壁部の内面や外面にクランプ部材を圧接して吊り上げる構造であるから、側溝を吊り上げて運搬する場合はまだしも、圃場に埋設されている側溝を吊り上げる場合、圃場土壌も一緒に持ち上げることになり、経年使用した側溝等にあってはクランプ力により破損することがあり、損傷により側溝を再使用することができないことがあるという不都合を有している。
【課題を解決するための手段】
【０００５】
本発明はこのような不都合を解決することを目的とするもので、本発明のうち、請求項１記載の発明は、下部走行機体、上部旋回機体及び該上部旋回機体に配設されて起伏動作可能なブーム並びにアームを備えてなり、圃場に埋設されている側溝を撤去可能なショベル系建設機械のアタッチメントであって、上記ショベル系建設機械のアームに作業機体を着脱自在に配設し、該作業機体に上記側溝の左右の側壁部近傍の上記圃場土壌中に挿脱可能な対向一対のスイング部材を配設し、該一対のスイング部材を相互に近接離反動作させる作動機構を配設し、該一対のスイング部材に該側溝の底部を載置可能な載置部材を配設してなることを特徴とする側溝撤去アタッチメントにある。
【０００６】
又、請求項２記載の発明は、上記作業機体に上記一対のスイング部材に振動を付与可能な起振機構を配設してなることを特徴とするものであり、又、請求項３記載の発明にあっては、上記作業機体と上記アームとの間に防振機構を配設してなることを特徴とするものである。
【０００７】
又、上記請求項１〜３のいずれかに記載の側溝撤去アタッチメントを備えてなるショベル系建設機械にある。
【発明の効果】
【０００８】
本発明は上述の如く、請求項１及び請求項４記載の発明にあっては、圃場に埋設されている側溝を撤去可能な側溝撤去アタッチメントは、ショベル系建設機械のアームに着脱交換自在に装着され、しかして、下部走行機体の走行動作、上部旋回機体の旋回動作及びブーム並びにアームの起伏動作が可能となり、この側溝撤去アタッチメントには、作業機体に側溝の左右の側壁部近傍の上記圃場土壌中に挿脱可能な対向一対のスイング部材が配設され、一対のスイング部材を相互に近接離反動作させる作動機構が配設され、一対のスイング部材に側溝の底部を載置可能な載置部材を配設しているから、ショベル系建設機械の下部走行機体の走行動作、上部旋回機体の旋回動作及びブーム並びにアームの起伏動作の複合動作により撤去すべき側溝の上方位置に側溝撤去アタッチメントを配置し、ブーム並びにアームの起伏動作により対向一対のスイング部材を側溝の左右の側壁部近傍の上記圃場土壌中に徐々に挿入し、挿入後、作動機構の揺動用シリンダを駆動して各スイング部材を上記側溝の左右の側壁部に相互に近接動作させ、載置部材が側溝の底部の下方位置に位置して各スイング部材が上記側溝の左右の側壁部を圧接しない程度に相互に近接配置した状態において、ショベル系建設機械のブーム並びにアームの起伏動作の複合動作により各スイング部材を上記圃場土壌中から抜脱上昇させ、側溝の左右の底部は載置部材に載置され、しかして、一対のスイング部材は圃場に埋設されている側溝をかかえ込むようにして、載置部材の載置面に載せた状態で持ち上げて撤去することができ、側溝に強い圧接力や強いクランプ力を加える必要がなく、経年使用した側溝等であっても、側溝の破損、損傷を防ぐことができ、側溝を再使用することができ、経済性を向上することができる。
【０００９】
又、請求項２記載の発明にあっては、上記作業機体に上記一対のスイング部材に振動を付与可能な起振機構を配設しているから、一対のスイング部材の土壌中への挿入及び土壌中からの抜脱を円滑に行うことができ、側溝撤去作業の効率化を図ることができると共に側溝近傍位置の圃場地盤を荒らしてしまう範囲を極力少なくすることができ、圃場整備等を良好に行うことができ、又、請求項３記載の発明にあっては、上記作業機体と上記アームとの間に防振機構を配設しているから、起振機構により生ずる振動がアームを介してショベル系建設機械に伝わることを抑制することができ、一対のスイング部材に対して振動を効果的に付与することができ、スイング部材の圃場土壌中への挿脱を良好に行うことができ、作業性を向上することができる。
【図面の簡単な説明】
【００１０】
【図１】本発明の実施の形態例の斜視図である。
【図２】本発明の実施の形態例の正面図である。
【図３】本発明の実施の形態例の側面図である。
【図４】本発明の実施の形態例の平面図である。
【図５】本発明の実施の形態例の全体側面である。
【図６】本発明の実施の形態例の使用状態の説明図である。
【図７】本発明の実施の形態例の使用状態の説明図である。
【図８】本発明の実施の形態例の使用状態の説明図である。
【図９】本発明の実施の形態例の使用状態の説明図である。
【発明を実施するための形態】
【００１１】
図１乃至図９は本発明の実施の形態例を示し、１はショベル系建設機械であって、この場合、バックホウが用いられ、下部走行機体１ａ、上部旋回機体１ｂ及び上部旋回機体１ｂに配設されて起伏動作可能なブーム１ｃ並びにアーム１ｅを備えて構成されている。
【００１２】
この場合、図５の如く、上部旋回機体１ｂは下部走行機体１ａに旋回軸１ｄ中心で図示省略の歯車機構からなる旋回操作機構により旋回動作可能に設けられ、上部旋回機体１ｂにブーム１ｃの基端部を支持軸１ｆにより起伏動作可能に軸受し、ブーム１ｃと上部旋回機体１ｂとの間にブーム用シリンダ１ｇを設け、ブーム１ｃの先端部にアーム１ｅをアーム軸１ｈにより起伏動作可能に軸受し、ブーム１ｃとアーム１ｅとの間にアーム用シリンダ１ｉを設け、アーム１ｅに側溝撤去アタッチメントＭを保持軸１ｊにより起伏動作可能に設け、側溝撤去アタッチメントＭとアーム１ｅとの間にアタッチメント用シリンダ１ｋを設け、下部走行機体１ａの左右両側に油圧駆動される履帯１ｌ、この場合ゴムクローラを配設して構成している。
【００１３】
２は作業機体であって、この場合、図５の如く、圃場Ｈに埋設されている側溝Ｗを撤去可能なアタッチメントとされ、上記ショベル系建設機械１のアーム１ｅに着脱自在に取り付けられる。
【００１４】
この場合、図１、図２、図３、図４の如く、上記作業機体２に上記側溝Ｗの左右の側壁部Ｗ１・Ｗ１近傍の上記圃場Ｈ土壌中に挿脱可能な対向一対のスイング部材３・３を支点軸３ａ・３ａを中心として揺動自在に配設し、一対のスイング部材３・３を相互に近接離反動作させる作動機構４を配設している。
【００１５】
この場合、図１、図２、図３、図４の如く、上記対向一対のスイング部材３・３はそれぞれ対向する挿脱杆３ｂ・３ｂ間に桟部材３ｃ及び桟杆３ｄを架設して枠状に形成され、各スイング部材３・３を作業機体２の基部材２ａに支点軸３ａ・３ａにより枢着し、基部材２ａに作動機構４としての揺動用シリンダ４ａ・４ａをピン４ｂ・４ｂにより枢着し、揺動用シリンダ４ａ・４ａのロッドを各スイング部材３・３に連結ピン４ｃ・４ｃにより枢着し、揺動用シリンダ４ａ・４ａを上記ショベル系建設機械１の油圧源により駆動することにより上記側溝Ｗの左右の側壁部Ｗ１・Ｗ１近傍の上記圃場Ｈ土壌中に挿脱可能な対向一対のスイング部材３・３をを相互に近接離反動作するように構成している。
【００１６】
５は載置部材であって、上記一対のスイング部材３・３に側溝Ｗの底部Ｗ２を載置可能に形成され、この場合、上記一対のスイング部材３・３の各挿脱杆３ｂ・３ｂ間に載置杆５ａを架設し、載置杆５ａに載置突部５ｂを内方に向けて複数個形成し、載置杆５ａ及び載置突部５ｂの上面を上記側溝Ｗの底部Ｗ２を載置可能な載置面5
ｃに形成して構成している。
【００１７】
６は起振機構であって、この場合、上記作業機体２の基部材２ａに起振機体６ａを取り付け、起振機体６ａの内部に偏心錘体６ｂ・６ｂが相互に異方向に回転自在に配置され、上記ショベル系建設機械１の油圧源により油圧モータ６ｃを回転駆動して振動を生じさせ、一対のスイング部材３・３に振動を付与するように構成している。
【００１８】
７は防振機構であって、上記作業機体２と上記アーム１ｅとの間に設けられ、この場合、図１の如く、上記起振機体６ａと防振機体７ａとの間に防振ゴム７ｂを介装し、防振機体７ａは保持軸１ｊ及びピン１ｍにより上記アーム１ｅに連結され、防振ゴム７ｂにより起振機構６により生ずる振動をアーム１ｅに伝わることを抑制するように構成している。
【００１９】
この実施の形態例は上記構成であるから、圃場Ｈに埋設されている側溝Ｗを撤去可能な側溝撤去アタッチメントＭは、ショベル系建設機械１のアーム１ｅに着脱交換自在に装着され、しかして、下部走行機体１ａの走行動作、上部旋回機体１ｂの旋回動作及びブーム１ｃ並びにアーム１ｅの起伏動作が可能となり、この側溝撤去アタッチメントＭには、作業機体２に側溝Ｗの左右の側壁部Ｗ１・Ｗ１近傍の上記圃場Ｈ土壌中に挿脱可能な対向一対のスイング部材３・３が配設され、一対のスイング部材３・３を相互に近接離反動作させる作動機構４が配設され、一対のスイング部材３・３に側溝Ｗの底部Ｗ２を載置可能な載置部材５を配設しているから、図５の如く、ショベル系建設機械１の下部走行機体１ａの走行動作、上部旋回機体１ｂの旋回動作及びブーム１ｃ並びにアーム１ｅの起伏動作の複合動作により撤去すべき側溝Ｗの上方位置に側溝撤去アタッチメントＭを配置し、図６、図７の如く、ブーム１ｃ並びにアーム１ｅの起伏動作により対向一対のスイング部材３・３を側溝Ｗの左右の側壁部Ｗ１・Ｗ１近傍の上記圃場Ｈ土壌中に徐々に挿入し、挿入後、図８の如く、作動機構４の揺動用シリンダ４ａ・４ａを駆動して各スイング部材３・３を上記側溝Ｗの左右の側壁部Ｗ１・Ｗ１に相互に近接動作させ、載置部材５が側溝Ｗの底部Ｗ２の下方位置に位置して各スイング部材３・３が上記側溝Ｗの左右の側壁部Ｗ１・Ｗ１を圧接しない程度に相互に近接配置した状態において、図９の如く、ショベル系建設機械１のブーム１ｃ並びにアーム１ｅの起伏動作の複合動作により各スイング部材３・３を上記圃場Ｈ土壌中から抜脱上昇させ、側溝Ｗの左右の底部Ｗ２・Ｗ２は載置部材５に載置され、しかして、一対のスイング部材３・３は圃場Ｈに埋設されている側溝Ｗをかかえ込むようにして、載置部材５の載置面５ｃに載せた状態で持ち上げて撤去することができ、側溝Ｗに強い圧接力や強いクランプ力を加える必要がなく、経年使用した側溝Ｗ等であっても、側溝Ｗの破損、損傷を防ぐことができ、側溝Ｗを再使用することができ、経済性を向上することができる。
【００２０】
又、この場合、上記作業機体４に上記一対のスイング部材３・３に振動を付与可能な起振機構６を配設しているから、一対のスイング部材３・３の土壌中への挿入及び土壌中からの抜脱を円滑に行うことができ、側溝撤去作業の効率化を図ることができると共に側溝Ｗ近傍位置の圃場地盤を荒らしてしまう範囲を極力少なくすることができ、圃場整備等を良好に行うことができ、又、この場合、上記作業機体４と上記アーム１ｅとの間に防振機構７を配設しているから、起振機構６により生ずる振動がアーム１ｅを介してショベル系建設機械１に伝わることを抑制することができ、一対のスイング部材３・３に対して振動を効果的に付与することができ、スイング部材３・３の圃場Ｈ土壌中への挿脱を良好に行うことができ、作業性を向上することができる。
【００２１】
尚、本発明は上記実施の形態例に限られるものではなく、作業機体２、作動機構４、載置部材５、起振機構６、防振機構７の構造は適宜変更して設計されるものである。
【００２２】
以上、所期の目的を充分達成することができる。
【符号の説明】
【００２３】
Ｈ    圃場
Ｍ    側溝撤去アタッチメント
Ｗ    側溝
Ｗ１    側壁部
Ｗ２    底部
１    ショベル系建設機械
１ａ    下部走行機体
１ｂ    上部旋回機体
１ｃ    ブーム
１ｅ    アーム
２    作業機体
３    スイング部材
４    作動機構
５    載置部材
６    起振機構
７    防振機構
【図１】
2016055997.tif 000003
【図２】
2016055997.tif 000004
【図３】
2016055997.tif 000005
【図４】
2016055997.tif 000006
【図５】
2016055997.tif 000007
【図６】
2016055997.tif 000008
【図７】
2016055997.tif 000009
【図８】
2016055997.tif 000010
【図９】
2016055997.tif 000011